(57)【特許請求の範囲】
【請求項１】
筒状の本体部と；
本体部の一端側に設けられ、内側を真空状にした管体、この管体の内側に位置する電極、ランプソケットに接続される口金、この口金に設けた端子と電極とを接続しヒューズ作用を有するリードを備えた放電ランプの外周面に液密に密着するランプ密着部と；
本体部の他端に設けられ、ランプソケットの外周面に液密に密着するソケット密着部と；
内側が負圧になった際に本体部の外側から内側への空気の流入を許容する弁部と；
を具備したことを特徴とする放電ランプ用パッキン。
【請求項２】
放電ランプは、低圧ナトリウムランプである
ことを特徴とする請求項１記載の放電ランプ用パッキン。
【請求項３】
弁部は、本体部の外側から内側に連通するスリットである
ことを特徴とする請求項１または２記載の放電ランプ用パッキン。
【請求項４】
弁部は、ランプソケットの外周面に設けられた凹部上に位置する
ことを特徴とする請求項１ないし３いずれか一記載の放電ランプ用パッキン。
【請求項５】
放電ランプと；
この放電ランプが装着されるランプソケットと；
請求項１ないし４いずれか一記載の放電ランプ用パッキンと；
を具備したことを特徴とする照明器具。
【発明の詳細な説明】
【０００１】
【発明の属する技術分野】
本発明は、管体の内部を真空状とした放電ランプとランプソケットとの間を液密に覆う放電ランプ用パッキンおよびこの放電ランプ用パッキンを用いた照明器具に関する。
【０００２】
【従来の技術】
従来、例えば、トンネルの照明について、高効率の低圧ナトリウムランプが用いられている。この低圧ナトリウムランプは、Ｕ字状をなす発光管と、この発光管を覆う外管とを備えている。そして、発光管の内部には、ナトリウム金属の低圧の蒸気、および始動用のネオンおよびアルゴンガス（Ｎｅ−Ａｒ）が封入されているとともに、両端部に電極が備えられ、口金部に設けた端子に接続されている。また、外管の内部は、高真空に保持されている。そして、電極間に高い電圧を加え、ナトリウム蒸気中に主放電を生じさせることにより、ナトリウムのＤ線の黄橙色の光を生じさせるようになっている。
【０００３】
また、この低圧ナトリウムランプは、トンネルなどの照明に用いられており、防湿性を向上するため、密閉性の高いランプソケットが用いられるとともに、このランプソケットと低圧ナトリウムランプの外管との間にパッキンを嵌着して液密に覆う構成が考えられている。
【０００４】
【発明が解決しようとする課題】
しかしながら、上記従来のように、低圧ナトリウムランプとランプソケットとの間をパッキンで覆った構成では、以下のような問題が生じる。すなわち、低圧ナトリウムランプの寿命末期などにおいて、電極間の主放電中に電極が切れるいわゆる電極折れが生じることがあるが、この電極折れの際、二次無負荷電圧が高いため、折れ残ったリード線の先端に放電が生じ、この放電のアークスポットの熱により、発光管が破損するいわゆる内管クラックとなる。そして、外管は真空に保たれているため、この内管クラックの際には、外管の内部にナトリウム蒸気、ネオンおよびアルゴンガスが充満し、外管がいわば発光管となって放電が続行する。続いて、放電のアークスポットは、リード線を消耗させながら、ヒューズ作用を有するリードに至る。ここで、ステムすなわち外管が破損（クラック）し、外気が入ることにより、ヒューズ作用のリードが酸化溶断し、放電が終了する。しかしながら、パッキンを用いた構成では、外管の内側に外気が入らず、リードのヒューズ作用が働かず、口金ピンの半田部を溶かし、続いて、低圧ナトリウムランプ専用のランプソケットの接点部を溶かし、この熱がランプソケットを焦がし、トラッキングが生じてランプソケット焼損する問題を有している。
【０００５】
本発明は、このような点に鑑みなされたもので、電極の破損時などにヒューズ作用を有するリードを迅速に溶断して放電を停止できる放電ランプ用パッキンおよび照明器具を提供することを目的とする。
【０００６】
【課題を解決するための手段】
請求項１記載の放電ランプ用パッキンは、筒状の本体部と；本体部の一端側に設けられ、内側を真空状にした管体、この管体の内側に位置する電極、ランプソケットに接続される口金、この口金に設けた端子と電極とを接続しヒューズ作用を有するリードを備えた放電ランプの外周面に液密に密着するランプ密着部と；本体部の他端に設けられ、ランプソケットの外周面に液密に密着するソケット密着部と；内側が負圧になった際に本体部の外側から内側への空気の流入を許容する弁部と；を具備したものである。
【０００７】
そして、この構成では、通常の使用状態では、放電ランプ用パッキンが放電ランプとランプソケットとの間を液密に覆い、防湿性が向上する。放電中に電極が破損などした際には、放電の熱により管体が破損し、真空状の管体の内側に外気が導入されて、ヒューズ作用を有するリードが迅速に溶断し、放電が終了する。放電ランプ用パッキンに覆われた部分で管体が破損した場合にも、内側が負圧になった際に、管体の内側と外側との圧力差により、弁部を介して内側に外気が導入されて、ヒューズ作用を有するリードが迅速に溶断する。
【０００８】
請求項２記載の放電ランプ用パッキンは、請求項１記載の放電ランプ用パッキンにおいて、放電ランプは、低圧ナトリウムランプであるものである。
【０００９】
そして、この構成では、トンネルなど湿度の高い場所で使用される低圧ナトリウムランプについて、防湿性の向上と迅速な放電の停止とが両立される。
【００１０】
請求項３記載の放電ランプ用パッキンは、請求項１または２記載の放電ランプ用パッキンにおいて、弁部は、本体部の外側から内側に連通するスリットであるものである。
【００１１】
そして、この構成では、構造が簡略化され、製造コストが低減される。
【００１２】
請求項４記載の放電ランプ用パッキンは、請求項１ないし３いずれか一記載の放電ランプ用パッキンにおいて、弁部は、ランプソケットの外周面に設けられた凹部上に位置するものである。
【００１３】
そして、この構成では、弁部が凹部側へ変形しやすく外気の導入が迅速になる。
【００１４】
請求項５記載の照明器具は、放電ランプと；この放電ランプが装着されるランプソケットと；請求項１ないし４いずれか一記載の放電ランプ用パッキンと；を具備したものである。
【００１５】
そして、この構成では、請求項１ないし４いずれか一記載の放電ランプ用パッキンを用いたため、防湿性の向上と迅速な放電の停止とが両立される。
【００１６】
【発明の実施の形態】
以下、本発明の放電ランプ用パッキンおよび照明器具の一実施の形態を図面を参照して説明する。
【００１７】
図１は、放電ランプ用パッキンおよび照明器具の一実施の形態を示す説明図、図２は、同上照明器具の正面図、図３は、同上放電ランプ用パッキンの一部を切り欠いた正面図、図４は、同上照明器具に用いるパッキンの一部を切り欠いた正面図である。
【００１８】
そして、図１および図２に示すように、１は照明器具で、この照明器具１は、例えばトンネル内の天井部分に取り付けられて路面などを照明するようになっている。そして、この照明器具１は、前面すなわち下面が開口部3aとされた器具本体３と、この器具本体３の開口部3aを覆い透光性を有する窓部4aを備えたカバー体４とを備えている。そして、器具本体３の外側には、天井部分などに取り付けられる複数の取付片3bが備えられている。また、器具本体３の開口部3aの周縁部には、カバー体４に液密に密着するシール部が設けられているとともに、このカバー体４を回動可能に支持するヒンジ部５と、カバー体４を閉じた状態で保持するロック部６となどが設けられている。また、器具本体３の内側には、図示しない安定器などの点灯装置が備えられているとともに、ランプソケット８およびランプホルダ９などが備えられ、放電ランプとしての低圧放電灯である低圧ナトリウムランプＬが装着されるようになっている。
【００１９】
そして、低圧ナトリウムランプＬは、高効率ナトリウムランプとも呼ばれるもので、略Ｕ字状に屈曲された発光管11と、この発光管11を覆う管体としての外管12とを備えている。そして、発光管11は、耐ナトリウムガラスで形成され、内部には、約０．５〔Pa〕のナトリウム金属の低圧の蒸気、および始動用のネオンおよび微量のアルゴンガス（Ｎｅ−Ａｒ）が封入されているとともに、両端部に電極14が備えられている。また、外管12は、内面に赤外線を反射する透明な酸化インジウム膜が塗布されているとともに、口金15を取り付けた基端部にゲッター16が備えられ、管内が高真空に保持されている。そして、口金15は、外管12よりも若干径寸法が小さい口金本体21と、この口金本体21から突設された突設部22とを備え、この突設部22の端面に、半田部などの複数の端子23が設けられている。そして、この端子23と電極14との間はリード線24により接続され、特に、ステム25に支持された部分は、ヒューズ作用を有するリード26となっている。さらに、外管12の内側には、スプリング28が備えられ、長手寸法の大きい発光管11を支持している。
【００２０】
また、ランプソケット８は、器具本体３に取り付けられる基台部31と、低圧ナトリウムランプＬの口金本体21を嵌合保持する口金保持部32とを備えたソケット本体33を備えるとともに、このソケット本体33の内側には、基台部31の口金保持部32に対向して、接触ピン34が複数備えられている。そして、この接触ピン34は、低圧ナトリウムランプＬの取り付け方向に沿って弾性的に進退可能に支持され、低圧ナトリウムランプＬを装着し、付勢力に抗して接触ピン34が押動された状態で、安定器と電気的に接続され入力が入るいわゆるインターロック付ソケットが構成されている。また、このランプソケット８は、低圧ナトリウムランプＬを装着した状態で、ソケット本体33の内側が密閉されほぼ液密になっている。
【００２１】
一方、ランプホルダ９は、ランプソケット８に装着された低圧ナトリウムランプＬの外管12の先端部近傍を、弾性的に支持するようになっている。
【００２２】
また、ランプソケット８の外周側には、放電ランプ用パッキンとしての前部ソケットパッキン41と、後部ソケットパッキン42とが嵌着して取り付けられている。そして、前部ソケットパッキン41は、図１および図３に示すように、乳白色のシリコンゴムにて本体部44が略円筒状に一体に形成され、この本体部44の先端部にランプ密着部45、後端側にソケット密着部46が形成されている。そして、ソケット密着部46は、ランプソケット８の外周部に嵌合して液密に密着する。また、ランプ密着部45は、内径寸法および外形寸法がソケット密着部46より小さく、低圧ナトリウムランプＬの外管12あるいは口金15に先端部が環状に液密に密着するようになっている。また、これらランプ密着部45およびソケット密着部46の端部には、それぞれ断面略円形状の肉厚部45a ，45b が形成されている。
【００２３】
さらに、この前部ソケットパッキン41の本体部44には、弁部としてのスリット48が形成されている。そして、このスリット48は、本体部44の外側から内側に連通する切り溝で、外部からの力が加わっていない通常の状態では、密着した状態で液密に閉じているとともに、所定以上の圧力が加わり本体部44が変形した際に、スリット48に隙間が生じて空気が流通可能になっている。
【００２４】
一方、後部ソケットパッキン42は、図１および図４に示すように、乳白色のシリコンゴムにて本体部51が略円筒状に一体に形成されている。そして、この本体部51の前端側には、内側に突出するシール部52a を備えたソケット密着部52が形成され、ランプソケット８の外周部に嵌合して液密に密着する。また、この本体部51の後側面は、底板部54で一体に閉塞されているとともに、この底板部54にはランプソケット８の取付用の取付孔54a などが形成されている。
【００２５】
このようにして、ランプソケット８には、前後のソケットパッキン41，42が液密に嵌着されているとともに、ランプソケット８に低圧ナトリウムランプＬを装着した状態では、前部ソケットパッキン41が低圧ナトリウムランプＬに密着し、低圧ナトリウムランプＬとランプソケット８との間を液密に保持し、防湿性が高められている。
【００２６】
そして、ランプソケット８に低圧ナトリウムランプＬを装着した状態で、電力を供給すると、接触ピン34、端子23、およびリード線24を介して電極14間に高い電圧を加え、発光管11のナトリウム蒸気中に主放電を生じさせることにより、ナトリウムのＤ線の黄橙色の光を生じさせて照明を行うようになっている。
【００２７】
また、低圧ナトリウムランプＬの寿命末期などにおいて、電極14間の主放電中に電極14が切れるいわゆる電極折れが生じた場合には、この電極折れの際、二次無負荷電圧が高いため、折れ残ったリード線24の先端に放電が生じ、この放電のアークスポットの熱により、発光管11が破損するいわゆる内管クラックとなる。そして、外管12は真空に保たれているため、この内管クラックの際には、外管12の内部にナトリウム蒸気、ネオンおよびアルゴンガスが充満し、外管12がいわば発光管となって放電が続行する。続いて、放電のアークスポットは、リード線12を消耗させながら、ヒューズ作用を有するリード26に至る。ここで、ステム25すなわち外管12が破損（クラック）する。すると、このステム25の近傍は前部ソケットパッキン41により覆われており、前部ソケットパッキン41の内側が負圧になり、本体部44が内側に変形する。この状態で、前部ソケットパッキン41のスリット48が開き、外管12の内側に外気が入る。この時点で、ヒューズ作用のリード26が酸化溶断し、放電が終了する。
【００２８】
このように、本実施の形態によれば、通常の使用状態では、防湿性を向上し、あるいは漏水などの際にも短絡を防止して、照明器具１を確実に動作させることができる。
【００２９】
さらに、いわば空気弁となるスリット48を設けたため、低圧ナトリウムランプＬの寿命末期などにおいて、電極14間の主放電中に電極14が切れた場合などには、外管12の内側に外気を迅速に導入して、外管12の内側が真空状態となることを防止し、ヒューズ作用のリード26を迅速に溶断して、放電を終了させ、トラッキングの発生やランプソケットの焼損を防止できる。なお、この外気を導入する作用は、例えば、定格ランプ電力が、１３５Ｗや１８０Ｗなどの真空の大きいものに効果が大きい。
【００３０】
また、外気を導入する弁部はスリット48として形成したため、構造が簡略であり、製造コストの上昇を抑制できる。
【００３１】
なお、弁部はスリット48のほか、空気弁を構成する種々の形状に形成でき、例えば、回動して開閉する弁体を備えることなどもできる。また、低圧ナトリウムランプＬの通常の点灯時には、弁部を介して内側から外側に空気を導出させることもできる。
【００３２】
また、弁部の内側に位置して、ランプソケットの外周面に切り欠きなどの凹部を形成し、あるいは、あらかじめランプソケットの外周面に切り欠きなどの凹部が配置されている場合には、この凹部上に弁部を配置することにより、弁部近傍の変形を容易にして、空気の流入を迅速円滑にすることができる。
【００３３】
【発明の効果】
請求項１記載の放電ランプ用パッキンによれば、通常の使用状態では、放電ランプ用パッキンが放電ランプとランプソケットとの間を液密に覆い、防湿性を向上できる。放電中に電極が破損などした際には、放電の熱により管体が破損し、真空状の管体の内側に外気が導入されて、ヒューズ作用を有するリードが迅速に溶断し、放電を終了させ、ランプソケットの破損などを防止できる。また、放電ランプ用パッキンに覆われた部分で管体が破損した場合にも、内側が負圧になった際に、管体の内側と外側との圧力差により、弁部を介して内側に外気が導入されて、ヒューズ作用を有するリードを迅速に溶断して放電を終了できる。
【００３４】
請求項２記載の放電ランプ用パッキンによれば、請求項１記載の効果に加え、トンネルなど湿度の高い場所で使用される低圧ナトリウムランプについて、防湿性の向上と迅速な放電の停止とを両立できる。
【００３５】
請求項３記載の放電ランプ用パッキンによれば、請求項１または２記載の効果に加え、弁部を、本体部の外側から内側に連通するスリットとすることにより、構造を簡略化でき、製造コストを低減できる。
【００３６】
請求項４記載の放電ランプ用パッキンによれば、請求項１ないし３いずれか一記載の効果に加え、弁部を、ランプソケットの外周面に設けられた凹部上に位置させることにより、弁部が凹部側へ変形しやすく外気の導入を迅速にできる。
【００３７】
請求項５記載の照明器具によれば、請求項１ないし４いずれか一記載の放電ランプ用パッキンを用いたため、防湿性の向上と迅速な放電の停止とを両立できる。
【図面の簡単な説明】
【図１】本発明の放電ランプ用パッキンおよび照明器具の一実施の形態を示す説明図である。
【図２】同上照明器具の正面図である。
【図３】同上放電ランプ用パッキンの一部を切り欠いた正面図である。
【図４】同上照明器具に用いるパッキンの一部を切り欠いた正面図である。
【符号の説明】
１    照明器具
８    ランプソケット
12    管体としての外管
14    電極
15    口金
23    端子
26    リード
41    放電ランプ用パッキンとしての前部ソケットパッキン
44    本体部
45    ランプ密着部
46    ソケット密着部
48    弁部としてのスリット
Ｌ    放電ランプとしての低圧ナトリウムランプ
【図１】
0003800272.tif 000002
【図２】
0003800272.tif 000003
【図３】
0003800272.tif 000004
【図４】
0003800272.tif 000005